(57)【要約】【課題】外部のネットワーク上のネットワークサービスから過去のデータ放送あるいはそのデータ放送に関連する情報を参照することができるデジタル放送受信装置を提供する。【解決手段】本発明に係るデジタル放送受信装置１０は、放送番組にデータ放送が多重化されたデジタル放送を受信するデジタル放送受信装置である。デジタル放送受信装置１０は、デジタル放送から、放送番組を特定する情報と、その放送番組に多重化されていた１つまたは複数のデータ放送のコンテンツをそれぞれ特定する情報とを抽出し、それら情報を対応付けながら、データ特定情報としてデータ特定情報記憶部３２に記憶する抽出部３１を備えている。【選択図】図１
2011146820.tif 000002
【特許請求の範囲】
【請求項１】
放送番組にデータ放送が多重化されたデジタル放送を受信するデジタル放送受信装置であって、
前記デジタル放送から、放送番組を特定する情報と、該放送番組に多重化されていた１つまたは複数のデータ放送のコンテンツをそれぞれ特定する情報とを抽出し、それら情報を対応付けながら、データ特定情報として記憶部に記憶する抽出手段を備えていることを特徴とするデジタル放送受信装置。
【請求項２】
前記放送番組を特定する情報は、前記放送番組の番組名、放送日時、放送局及びチャンネルのうちの少なくとも１つを表わす情報を含み、
前記１つまたは複数のデータ放送のコンテンツをそれぞれ特定する情報は、前記１つまたは複数のデータ放送のコンテンツの種類をそれぞれ表わす情報、前記１つまたは複数のデータ放送のコンテンツの概要をそれぞれ表わす情報、及び、前記１つまたは複数のデータ放送のコンテンツをそれぞれ表示する処理を制御する情報のうちの少なくとも１つを含むことを特徴とする請求項１に記載のデジタル放送受信装置。
【請求項３】
前記データ特定情報は、該データ特定情報が特定する前記データ放送が多重化されていた前記放送番組の放送日時と関連付けられていることを特徴とする請求項２に記載のデジタル放送受信装置。
【請求項４】
前記データ特定情報を検索キーとする検索要求をネットワーク上の検索サーバに送信することにより、前記ネットワーク上のネットワークサービスを検索する検索手段をさらに備えていることを特徴とする請求項１〜３のいずれか１項に記載のデジタル放送受信装置。
【請求項５】
請求項１〜４のいずれか１項に記載のデジタル放送受信装置を備えているデジタル放送表示装置。
【請求項６】
請求項１〜４のいずれか１項に記載のデジタル放送受信装置における各手段としてコンピュータを動作させるためのデジタル放送受信プログラム。
【請求項７】
請求項６に記載のデジタル放送受信プログラムを記録したコンピュータ読み取り可能な記録媒体。
【請求項８】
放送番組にデータ放送が多重化されたデジタル放送を受信するデジタル放送受信方法であって、
前記デジタル放送から、放送番組を特定する情報と、該放送番組に多重化されていた１つまたは複数のデータ放送のコンテンツをそれぞれ特定する情報とを抽出し、それら情報を対応付けながら、データ特定情報として記憶部に記憶するステップを備えていることを特徴とするデジタル放送受信方法。
【発明の詳細な説明】
【技術分野】
【０００１】
本発明は、放送番組の映像データや音声データに文字、図形、静止画等の各種データが多重化されているデジタル放送を受信可能なデジタル放送受信装置、デジタル放送受信方法、デジタル放送受信プログラム及びコンピュータ読み取り可能な記録媒体、並びに、デジタル放送表示装置に関するものである。
【背景技術】
【０００２】
デジタル放送においては、放送番組の映像データや音声データと共に、例えば放送番組の放送内容と関連のあるデータ、テキストデータあるいは静止画データ等をその放送番組に対応づけてデータ放送として、放送番組と共に送信することができる。
【０００３】
このようなデータ放送用データとしては、例えば、天気予報やニュースといった情報、あるいは、放送番組に関連する情報を表わすデータであり、このような情報を表わすデータ放送用データが放送番組の映像データや音声データと一緒にユーザに提供される。
【０００４】
データ放送用データは、それと同時に送信される放送番組の映像データや音声データに多重化されており、その放送番組の映像データ等と共に放送局からデジタル放送受信装置に向けて送信される。
【０００５】
デジタル放送受信装置は、データ放送用データが多重化されたデジタル放送を受信すると、そのデジタル放送を逆多重化することによって、そのデジタル放送の放送番組の映像データ等に多重化されているデータ放送用データを識別する。
【０００６】
デジタル放送受信装置は、例えば、自身に備えられた記憶装置に、放送番組の映像データ等に多重化されていたデータ放送用データを記憶する。そして、デジタル放送受信装置は、記憶装置に記憶されているデータ放送用データを、例えばユーザからの指示に従って、自身に備えられた表示装置を用いてユーザに適宜提示する。
【０００７】
ところで、データ放送用データは、時間と共に更新されていくものが多く、また、放送局から定期的に送信されることが多い。このため、デジタル放送受信装置は、新たに更新されたデータを受信した場合には、それまで記憶装置に記憶していた古いデータを、新たに更新されたデータを用いて上書きするのが通常である。
【０００８】
そして、記憶装置に記憶された新たなデータが、ユーザからの指示に基づき、記憶装置から読み出され、表示装置を用いてユーザに表示される。
【０００９】
このようにして、ユーザは最新のデータ放送を視聴することができるのである。
【００１０】
しかしながら、上述したデジタル放送受信装置では、新たに更新されたデータが受信されると、それまで記憶されていた古いデータが記憶装置から消去されることになる。
【００１１】
すなわち、ユーザは、過去のデータ放送の内容を参照することができないといった課題があった。
【００１２】
このような課題に対し、受信するデータの種類を識別して、そのデータそのものを時刻情報と関連付けて記憶させておき、将来、同じ種類のデータを読み出して参照できるようにするという技術が提案されている（例えば、特許文献１を参照）。
【先行技術文献】
【特許文献】
【００１３】
【特許文献１】特開２００８−２５２７３２号公報（２００８年１０月１６日公開）
【発明の概要】
【発明が解決しようとする課題】
【００１４】
しかしながら、特許文献１に記載されたデジタル放送受信装置では、受信するデータ放送用データについて過去から現在に至るまでのすべてのデータを、自身の記憶装置に記憶させておかなければならない。
【００１５】
このことはデジタル放送受信装置に備えられる記憶装置の記憶容量を増大させ、延いてはデジタル放送受信装置の製造コストを上昇させてしまうといった課題があった。
【００１６】
ところで、インターネット等のネットワーク上にはさまざまな情報が存在し、その中には過去のデータ放送の内容に相当する情報が存在することが考えられる。
【００１７】
そこで、特許文献１に記載されたデジタル放送受信装置における記憶容量の増大という課題を防止するためには、デジタル放送受信装置がインターネット等のネットワーク上に存在するネットワークサービスを利用することができるようにすることが有効である。そうすることにより、デジタル放送受信装置の記憶装置にデータ放送を記憶せずに、ネットワークサービスを利用することで過去のデータ放送を参照することが可能となるからである。
【００１８】
そして、そのようなネットワークサービスの利用は、放送局とデジタル放送受信装置とからなる既存の放送システムの構成を変更することなく実現できることが、最も望ましいことであることはいうまでもない。
【００１９】
上記の課題に鑑み、本発明の目的は、外部のネットワーク上のネットワークサービスから過去のデータ放送あるいはそのデータ放送に関連する情報を参照することができるデジタル放送受信装置、デジタル放送受信方法、デジタル放送受信プログラム及びコンピュータ読み取り可能な記録媒体、並びに、デジタル放送表示装置を提供することである。
【課題を解決するための手段】
【００２０】
上記目的を達成するために、本発明に係るデジタル放送受信装置は、放送番組にデータ放送が多重化されたデジタル放送を受信するデジタル放送受信装置であって、前記デジタル放送から、放送番組を特定する情報と、該放送番組に多重化されていた１つまたは複数のデータ放送のコンテンツをそれぞれ特定する情報とを抽出し、それら情報を対応付けながら、データ特定情報として記憶部に記憶する抽出手段を備えている。
【００２１】
上記のデジタル放送受信装置では、放送番組にデータ放送が多重化されているデジタル放送を受信する場合において、放送番組を特定する情報と、その放送番組に多重化されていた１つまたは複数のデータ放送のコンテンツをそれぞれ特定する情報とが対応付けられたデータ特定情報を記憶部に記憶することができる。
【００２２】
このため、記憶部に記憶されているデータ特定情報を基にして、外部のネットワーク上のネットワークサービスから過去のデータ放送あるいはそのデータ放送に関連する情報を参照することができる。
【００２３】
前記放送番組を特定する情報は、前記放送番組の番組名、放送日時、放送局及びチャンネルのうちの少なくとも１つを表わす情報を含み、前記１つまたは複数のデータ放送のコンテンツをそれぞれ特定する情報は、前記１つまたは複数のデータ放送のコンテンツの種類をそれぞれ表わす情報、前記１つまたは複数のデータ放送のコンテンツの概要をそれぞれ表わす情報、及び、前記１つまたは複数のデータ放送のコンテンツをそれぞれ表示する処理を制御する情報のうちの少なくとも１つを含むことが好ましい。
【００２４】
この場合、放送番組を特定する情報とデータ放送のコンテンツを特定する情報を基にユーザは所望するデータ放送を特定することができる。
【００２５】
特に、データ放送のコンテンツを特定する情報のうち、例えば、データ放送のコンテンツの種類を表わす情報及びコンテンツの概要を表わす情報を基にすれば、ユーザはそれらデータ放送を簡単に特定することができる。また、データ放送のコンテンツを表示する処理を制御する情報として、該当する放送番組の放送時間内で、あるデータ放送のデータの更新に関する情報（例えば、更新日時情報）を含ませておけば、更新される以前のデータ放送のコンテンツを特定することができる。
【００２６】
前記データ特定情報は、該データ特定情報が特定する前記データ放送が多重化されていた前記放送番組の放送日時と関連付けられていることが好ましい。
【００２７】
この場合、データ特定情報を基にユーザは所望のデータ放送を特定することができる。
【００２８】
例えば、ユーザの所望するデータ放送のコンテンツが、毎週同じタイトルで放送される番組（例えばバラエティやドラマなど）内のものであった場合、放送日時情報が関連付けられていれば、いつ（月日）放送されたデータ放送のデータなのかを簡単に特定することができる。
【００２９】
前記データ特定情報を検索キーとする検索要求を前記ネットワーク上の検索サーバに送信することにより、前記ネットワーク上の前記ネットワークサービスを検索する検索手段をさらに備えていることが好ましい。
【００３０】
この場合、ネットワーク上の検索サーバを用いてネットワーク上のネットワークサービスを検索し、多くのネットワークサービスをその検索対象とすることができるので、参照すべきデータ放送を確実にヒットさせることができる。
【００３１】
本発明に係るデジタル放送表示装置は、上記のデジタル放送受信装置を備えている。
【００３２】
上記のデジタル放送表示装置では、上記のデジタル放送受信装置を備えているデジタル放送表示装置が実現される。
【００３３】
本発明に係るデジタル放送受信方法は、放送番組にデータ放送が多重化されたデジタル放送を受信するデジタル放送受信方法であって、前記デジタル放送から、放送番組を特定する情報と、該放送番組に多重化されていた１つまたは複数のデータ放送のコンテンツをそれぞれ特定する情報とを抽出し、それら情報を対応付けながら、データ特定情報として記憶部に記憶するステップを備えている。
【００３４】
上記のデジタル放送受信方法では、放送番組にデータ放送が多重化されているデジタル放送を受信する場合において、放送番組を特定する情報と、その放送番組に多重化されていた１つまたは複数のデータ放送のコンテンツをそれぞれ特定する情報とが対応付けられたデータ特定情報を記憶部に記憶することができる。
【００３５】
このため、記憶部に記憶されているデータ特定情報を基にして、外部のネットワーク上のネットワークサービスから過去のデータ放送あるいはそのデータ放送に関連する情報を参照することができる。
【００３６】
なお、前記デジタル放送受信装置は、コンピュータによって実現してもよく、この場合には、コンピュータを前記各手段として動作させることにより前記デジタル放送受信装置をコンピュータにて実現させるデジタル放送受信プログラム、及びそれを記録したコンピュータ読み取り可能な記録媒体も、本発明の範疇に入る。
【発明の効果】
【００３７】
本発明のデジタル放送受信装置は、以上のように、放送番組にデータ放送が多重化されたデジタル放送を受信するデジタル放送受信装置であって、前記デジタル放送から、放送番組を特定する情報と、該放送番組に多重化されていた１つまたは複数のデータ放送のコンテンツをそれぞれ特定する情報とを抽出し、それら情報を対応付けながら、データ特定情報として記憶部に記憶する抽出手段を備えている。
【００３８】
また、本発明のデジタル放送受信方法は、以上のように、放送番組にデータ放送が多重化されたデジタル放送を受信するデジタル放送受信方法であって、前記デジタル放送から、放送番組を特定する情報と、該放送番組に多重化されていた１つまたは複数のデータ放送のコンテンツをそれぞれ特定する情報とを抽出し、それらの情報を対応付けながら、データ特定情報として記憶部に記憶するステップを備えている。
【００３９】
それゆえ、外部のネットワーク上のネットワークサービスから過去のデータ放送あるいはそのデータ放送に関連する情報を参照することができるという効果を奏する。
【図面の簡単な説明】
【００４０】
【図１】本発明の一実施形態に係るデジタル放送受信装置の概略構成を示すブロック図である。
【図２】前記デジタル放送受信装置のデジタル放送画面を説明するための図である。
【図３】前記デジタル放送受信装置の抽出部の構成を示すブロック図である。
【図４】前記抽出部により抽出されたデータ特定情報の具体例を示す図である。
【図５】前記抽出部の動作を説明するためのフローチャートである。
【図６】前記デジタル放送受信装置の検索制御部の構成を示すブロック図である。
【図７】前記検索制御部により生成されたサービス検索情報の具体例を示す図である。
【図８】前記検索制御部の動作を説明するためのフローチャートである。
【発明を実施するための形態】
【００４１】
本発明の一実施形態について図１〜図８に基づいて説明すれば、以下の通りである。
【００４２】
（デジタル放送受信装置）
本発明の一実施形態に係るデジタル放送受信装置は、例えば、デジタル放送を受信し、そのデジタル放送の内容を表示するテレビや携帯電話、モバイルＰＣ、ＰＤＡ等に用いられる。
【００４３】
図１は、本発明の一実施形態に係るデジタル放送受信装置（デジタル放送表示装置）１０の概略構成を示すブロック図である。
【００４４】
図１に示すように、本発明の一実施形態に係るデジタル放送受信装置１０は、受信部１１と、復調部１２と、誤り訂正部１３と、分離部２１と、制御部２２と、音声処理部２３と、映像処理部２４と、図形処理部２５と、音声出力制御部２６と、表示制御部２７と、音声出力部２８と、表示部２９と、抽出部（抽出手段）３１と、データ特定情報記憶部３２と、検索制御部（検索手段）３３と、サービス検索情報記憶部３４と、検索処理部（検索手段）３５と、ブラウザ３６と、入力部３７と、を備えている。
【００４５】
受信部１１は、アンテナ４１を介してデジタル放送を受信する。アンテナ４１を介して受信されるデジタル放送は、例えば放送局やそこから送信されたデジタル放送を中継する中継局から送信される。
【００４６】
ここで、このデジタル放送は、例えばＢＳ（Ｂｒｏａｄｃａｓｔ  Ｓａｔｅｌｌｉｔｅ）／ＣＳ（Ｃｏｍｍｕｎｉｃａｔｉｏｎ  Ｓａｔｅｌｌｉｔｅ）デジタル放送や、地上波デジタル放送等の各種デジタル放送である。そして、映像データや音声データを用いた放送番組のほかに、放送番組以外の映像データ及び音声データ、静止画データ、テキストデータ、並びに、これら各データの時間的及び空間的配置を制御する制御データ（例えばＢＭＬ（Ｂｒｏａｄｃａｓｔ  Ｍａｒｋｕｐ  Ｌａｎｇｕａｇｅ）データ）等を含むデータ放送も同時に送信されている。つまり、このデジタル放送では、放送番組の映像データ及び音声データ（放送番組用データ）に、データ放送用データが多重化されている。
【００４７】
復調部１２は、受信部１１で受信されたデジタル放送を復調する。受信部１１で受信されるデジタル放送には、放送局あるいは中継局から送信される際、電波による無線通信を行なうための変調処理が施されている。このため、復調部１２は、変調されているデジタル放送を復調し、そのデジタル放送を復元する。
【００４８】
誤り訂正部１３は、放送局あるいは中継局からデジタル放送受信装置１０にデジタル放送が送信される際、送信データと受信データとの間の不一致等の誤りを発見し、可能であれば、その誤りを訂正する。
【００４９】
また、誤り訂正部１３は、送信データと受信データとの間の誤りを発見しても、その誤りを訂正せずに、再度の送信を要求してもよい。
【００５０】
分離部２１は、復調されたデジタル放送を、制御データと、音声データと、映像データと、図形データとに分離する。そして、分離部２１は、その制御データを制御部２２に、その音声データを音声処理部２３に、その映像データを映像処理部２４に、その図形データを図形処理部２５に、それぞれ出力する。また、分離部２１は、音声データを除く、制御データと、映像データと、図形データとを、抽出部３１に出力する。
【００５１】
ここで、制御部２２に出力される制御データは、放送番組の映像データや音声データ、他の映像データ、静止画データ、テキストデータといった、各データの時間的、空間的配置を制御するためのものであり、例えばＢＭＬデータである。
【００５２】
音声処理部２３に出力される音声データは、放送番組の音声データである。また、映像処理部２４に出力される映像データは、放送番組の映像データである。
【００５３】
図形処理部２５に出力される図形データは、放送番組の映像データや音声データに多重化されたデータ放送用データである。この図形データは、例えば、映像データや、静止画データ、テキストデータである。
【００５４】
制御部２２は、分離部２１から入力された制御データに基づき、音声出力制御部２６による音声出力処理、及び、表示制御部２７による映像表示処理を制御する。
【００５５】
音声処理部２３は、分離部２１から入力された音声データに、例えば、放送番組の音声や操作音の音質や音量等を調整や設定といった音声処理を行なう。そして、音声処理部２３は、その音声処理後の音声データを音声出力制御部２６に出力する。
【００５６】
映像処理部２４は、分離部２１から入力された映像データに、例えば、ノイズリダクション、シャープネスの調整、コントラストの調整といった映像処理を行なう。そして、映像処理部２４は、その映像処理後の映像データを表示制御部２７に出力する。
【００５７】
図形処理部２５は、分離部２１から入力された図形データから、例えば図形や文字データを構成し、それらを画面上に表示する位置情報や時間情報、リンクが張られる場合にはその情報とともに、表示制御部２７に出力する。
【００５８】
音声出力制御部２６は、音声処理部２３から入力された音声データを、音声出力部２８に出力し、音声として出力されるように音声出力処理を行なう。また、音声出力制御部２６は、制御部２２からの指示に基づいて、その音声出力処理を行なう。
【００５９】
表示制御部２７は、映像処理部２４から入力された映像データと、図形処理部２５から入力された図形データとを、表示部２９に出力し、表示部２９に表示されるように表示処理を行なう。また、表示制御部２７は、制御部２２からの指示に基づいて、その表示処理を行なう。
【００６０】
表示制御部２７は、例えば、デジタル放送を構成するための映像データの制御を行なう映像処理部２４と、データ放送を構成するための図形データの制御を行なう図形処理部２５とからのそれぞれの信号を利用し、制御部２２からの制御信号を基に、放送番組及びデータ放送の表示を行なう。また、後述するように、ネットワーク５１上でネットワークサービスサーバ５３を検索した結果及びそのネットワークサービスサーバ５３が提供するサービス内容の表示制御も行なう。この表示の際、後述するよう、それらの結果を表示する手段として、ＨＴＭＬブラウザ等のブラウザ３６を利用する。
【００６１】
また、表示制御部２７は、後述するように、ユーザが過去のデータ放送を提供するネットワークサービスサーバ５３を検索する際、過去のデータ放送を特定するためのデータ特定情報も表示する。
【００６２】
音声出力部２８は、音声出力制御部２６から入力された音声データを音声として再生する公知のスピーカーを用いることができる。また、表示部２９は、表示制御部２７から入力された映像データ及び図形データを映像として表示する公知の液晶ディスプレイやＣＲＴ、プラズマディスプレイを用いることができる。
【００６３】
抽出部３１は、復調されたデジタル放送を取得し、その放送番組の映像データや音声データに多重化された各種のデータ放送用データを特定するための放送特定情報を抽出する。
【００６４】
抽出部３１は、復調されたデジタル放送を構成する上記の制御データ、上記の映像データ、上記の音声データ及び上記の図形データのうちから、放送番組の音声データや映像データに多重化されているデータ放送用データを特定可能な情報（以下、「データ特定情報」と呼ぶ。）を抽出し、データ特定情報記憶部３２に記憶する。
【００６５】
ここで、このデータ特定情報は、分離部２１で分離される上記の制御データ、上記の映像データ、上記の音声データ及び上記の図形データのうち、放送番組のコンテンツ及びその放送番組に多重化されたデータ放送のコンテンツを除く、他のデータが表わす情報である。例えば、デジタル放送の放送番組の放送番組名、放送日時、放送局情報、コンテンツの種類等である。
【００６６】
また、このデータ特定情報として、例えば、次のような情報も利用することができる。
【００６７】
例えばＭＰＥＧ２規格では、映像データ、音声データの符号化、及び、符号化された映像データ、音声データと、付加情報とを多重化してＴＳ（Ｔｒａｎｓｐｏｒｔ  Ｓｔｒｅａｍ）として伝送する方法が規格化されている。
【００６８】
特に、ＭＰＥＧ２では、多重化される付加情報として、ＰＳＩ（Ｐｒｏｇｒａｍ  Ｓｐｅｃｉｆｉｃ  Ｉｎｆｏｒｍａｔｉｏｎ：プログラム仕様情報）が規定されており、また、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会）では、ＥＰＧの構成に必要なＳＩ（Ｓｅｒｖｉｃｅ  Ｉｎｆｏｒｍａｔｉｏｎ：番組配列情報）が規定されている。
【００６９】
ＰＳＩは、多重化された多様なストリームを、受信装置が自動的に多重解除して複合する機能を実現するための情報であり、番組を構成する映像・音声のＴＳパケットを特定するためのＰＭＴ（Ｐｒｏｇｒａｍ  Ｍａｐ  Ｔａｂｌｅ）、ＰＭＴを伝送しているＴＳパケットのＰＩＤ（Ｐａｃｋｅｔ  Ｉｄｅｎｔｉｆｉｃａｔｉｏｎ：パケット識別情報）を指すためのＰＡＴ（Ｐｒｏｇｒａｍ  Ａｓｓｏｃｉａｔｉｏｎ  Ｔａｂｌｅ）等を含む。
【００７０】
また、データ特定情報は、データ放送を提示するタイミング等を制御する情報や、それらの情報を更新するために配信される差分情報等も含んでいてもよい。
【００７１】
さらに、データ特定情報は、上述した情報に限らず、放送番組に多重化されているデータ放送を特定可能な情報であればよい。
【００７２】
また、デジタル放送を構成する上記の制御データ等に、多重化されているデータ放送を提供するネットワークサービスを特定するための情報、例えば、外部のネットワーク上における所在情報（例えば、ＵＲＬ）が含まれている場合、このような所在情報についても、データ特定情報に含めることができる。
【００７３】
さらに、放送番組がドラマやバラエティといった一定の日時で定期的に放送されるものであれば、現在放送中のデータ放送に加えて前回放送分のデータ放送もあわせて受信できる場合がある。この場合、現在放送分に加え前回放送分のデータ放送を特定可能な情報についても、データ特定情報に含めることができる。
【００７４】
データ特定情報記憶部３２は、抽出部３１により抽出されるデータ特定情報を記憶する。データ特定情報記憶部３２は、ハードディスクドライブ等の磁気ディスク装置や半導体メモリ等の公知の記憶装置から適宜選択して用いることができる。
【００７５】
データ特定情報記憶部３２は、抽出部３１により抽出されたデータ特定情報と、そのデータ特定情報を含むデジタル放送の放送日時、例えば、放送番組の放送開始日時や放送終了日時、その放送番組に多重化されているデータ放送の更新日時等とを関連付けて記憶してもよい。そうすることにより、例えば、同じ時間帯に放送されたデータ放送同士を対応付けることが可能となる。例えば、ユーザの視聴していたある放送番組の番組名と、その番組の放送時間帯に提示されるデータ放送のデータ情報とを対応させることができ、それによって関連データの読み出しが可能となる。
【００７６】
また、データ放送の内容に対応したＵＲＬ等の情報は、対応する番組毎にカテゴリ分けする場合はその番組に関連した情報として記憶させても良いし、ＵＲＬ情報を区別して記憶させても良い。また、番組内容に関係なく更新される、例えば天気予報や交通情報といった情報は、番組内容に関連した情報とは別に記憶させてもよい。
【００７７】
また、データ特定情報記憶部３２に記憶されたデータ特定情報は、ある一定の記憶期間を経過した場合、自動的に消去するようにしてもよい。
【００７８】
検索制御部３３は、データ特定情報の表示の要求がユーザから入力されたとき、データ特定情報記憶部３２に記憶されているデータ特定情報を取得する。そして、検索制御部３３は、データ特定情報記憶部３２から取得したデータ特定情報を表示制御部２７に出力する。表示制御部２７は、検索制御部３３から入力されたデータ特定情報をユーザに表示部２９を用いて表示する。
【００７９】
また、検索制御部３３は、データ特定情報の選択の要求がユーザから入力されたとき、ユーザに表示されているデータ特定情報を基に、サービス検索情報を生成する。
【００８０】
ここで、サービス検索情報は、ネットワーク５１上に存在する多数のネットワークサービスサーバ（ＮＳサーバ）５３が提供するネットワークサービスを検索するための情報である。そして、このサービス検索情報は、ユーザに表示されているデータ特定情報のうち、ユーザからの選択の要求のあったデータ特定情報を検索キーとして含む情報である。
【００８１】
サービス検索情報記憶部３４は、検索制御部３３により生成されるサービス検索情報を記憶する。サービス検索情報記憶部３４は、ハードディスクドライブ等の磁気ディスク装置や半導体メモリ等の公知の記憶装置から適宜選択して用いることができる。なお、データ特定情報記憶部３２とサービス検索情報記憶部３４は、それぞれ必要なデータが記憶可能であればよく、それぞれを別の記憶装置で実現してもよいし、１つの記憶装置のなかで記憶領域を分割することで実現してもよい。
【００８２】
検索処理部３５は、サービス検索情報記憶部３４に記憶されているサービス検索情報を読み出し、その読み出したサービス検索情報を基に検索要求をネットワーク５１上の検索サーバ５２に送信する。なお、検索処理部３５は、ネットワーク５１との間で通信を行なうため、ネットワークコントローラや無線通信デバイスといった公知の通信部（図示省略）を備えている。
【００８３】
また、検索処理部３５は、サービス検索情報にヒットしたネットワークサービスを示す検索結果を検索サーバ５２から取得すると、その検索結果をブラウザ３６に出力する。
【００８４】
ブラウザ３６は、検索処理部３５から入力された検索結果を参照し、検索結果に該当するネットワークサービスを提供するＮＳサーバ５３から、そのネットワークサービスの提供を受ける。
【００８５】
ブラウザ３６は、ＮＳサーバ５３が提供するネットワークサービスにより、検索サーバ５２に検索が要求されたサービス検索情報に該当する過去のデータ放送を取得し、その放送データを表示制御部２７に出力する。表示制御部２７は、ブラウザ３６から出力されたデータ放送を、表示部２９を用いてユーザに表示する。
【００８６】
ブラウザ３６は、ＨＴＭＬブラウザであっても、ＢＭＬブラウザであってもよい。ネットワークサービスの検索結果及びそのサービス内容を表示し、ユーザが利用できるようなブラウザであればその種類は問わない。
【００８７】
入力部３７は、例えば、キーボードやテンキーを備えており、これらキーボード等を用いてユーザからの各種の要求が入力される。入力部３７と検索制御部３３との間における通信は、無線通信、有線通信のいずれであってもよい。また、入力部３７は、表示部２９上に表示されたカナ数字を矢印ボタンや選択ボタンで選択して、決定ボタンで入力を決定するといった、各種のボタンを備えていてもよい。
【００８８】
ネットワーク５１は、インターネットが代表的であるが、ＬＡＮ、ＷＡＮ、イントラネット等、あらゆるネットワークを用いることができる。
【００８９】
検索サーバ５２は、公知のポータルサイトとして機能するサーバである。検索サーバ５２は、ネットワーク５１上の多数のＮＳサーバ５３それぞれによって提供されているネットワークサービスの中から、サービス検索情報に合致するネットワークサービスを検索する機能を有している。
【００９０】
検索サーバ５２は、ネットワークサービスを検索するための情報や、ネットワークサービスを検索するための情報と関連付けされた各種ネットワークサービスを提供するＮＳサーバ５３の情報（ＵＲＬ、概要情報等）を少なくとも格納する。
【００９１】
検索サーバ５２は、ネットワークサービスを検索するための情報を受け取って、その情報を確認し、対応するネットワークサービスを提供しているＮＳサーバ５３の情報を提供する。
【００９２】
ネットワークサービスサーバ５３は、インターネット等のネットワークを介して、過去のデータ放送を提供する。
【００９３】
ネットワークサービスサーバ５３は、既存のデジタル放送におけるデータ放送の内容を保存している。例えば、放送中のデータ放送のデータを自動で保存できるようにしてもよい。
【００９４】
なお、ネットワークサービスサーバ５３は、例えば過去のデータ放送と全く同じ内容が存在しない場合は、過去のデータ放送の内容に近い情報、対応した情報を提供してもよい。
【００９５】
（デジタル放送画面）
ここで、デジタル放送受信装置１０のデジタル放送画面について簡単に説明しておく。図２は、デジタル放送受信装置１０のデジタル放送画面を説明するための図である。
【００９６】
図２（ａ）に示すように、デジタル放送受信装置１０では、デジタル放送の放送番組を視聴中に、データ放送を表示させたいという要求がユーザから入力されると、図２（ｂ）に示すように、データ放送の初期画面が表示される。
【００９７】
そして、ニュース枠を選択したいという要求がユーザから入力されると、図２（ｃ）に示すように、ニュースの画面が表示される。なお、図２（ｃ）では、放送番組の画面が左上に縮小表示されている。
【００９８】
そして、ニュース枠の選択を終了し、再び放送番組のみを表示させたいという要求がユーザから入力されると、図２（ｄ）に示すように、最初の放送番組のみの画面が表示されることになる。
【００９９】
（抽出部）
次に、抽出部３１の構成及びその動作について説明する。図３は、抽出部３１の構成を示すブロック図である。
【０１００】
図３に示すように、抽出部３１は、データ読込部６１と、項目判定部６２と、データ特定情報項目リスト６３と、特定情報生成部６４と、を備えている。
【０１０１】
データ読込部６１は、復調されたデジタル放送を構成する上記の制御データ、上記の映像データ、及び上記の図形データを読み込み、その読み込み結果を項目判定部６２に出力する。
【０１０２】
データ読込部６１は、例えば、テキスト情報以外の各データをテキストデータに変換し、各データの中に記載されている全テキストを把握し、その把握結果を上記の読み込み結果として、項目判定部６２に出力する。また、データ読込部６１は、ＰＳＩやＳＩ等のデータ（テキストデータ）であれば、それらを変換することなく、上で述べたように、それらデータの中に記載されている全テキストを把握する。
【０１０３】
データ読込部６１は、各データ中の文字列等を分析することによって、その読み込みを実行する。
【０１０４】
項目判定部６２は、データ読込部６１から入力された読み込み結果を基に、データ特定情報の項目に該当するテキストの有無を判定する。そして、項目判定部６２は、データ特定情報の項目に該当するテキストがあった場合には、そのテキストについての詳細情報を、そのテキストを含むデータから取得する。項目判定部６２は、データ特定情報の項目に該当するテキスト及びそのテキストについての詳細情報を、自身の判定結果として特定情報生成部６４に出力する。
【０１０５】
データ特定情報項目リスト６３は、データ特定情報の項目として予め設定されたテキスト群のリストであり、例えばユーザにより予め選択され、設定される。データ特定情報項目リスト６３は、項目判定部６２に提供されており、項目判定部６２は、データ読込部６１から入力された読み込み結果の中に、データ特定情報項目リスト６３に記載されたテキストと一致するものがあれば、その一致したテキストをデータ特定情報の項目に該当するテキストであると判定する。
【０１０６】
なお、項目判定部６２は、例えば番組の放送開始時刻、番組名といったＳＩとして提供される情報に関しては、データ特定情報項目リスト６３を参照することなく、ＳＩであることを基にデータ特定情報の項目に該当すると判定してもよい。
【０１０７】
特定情報生成部６４は、項目判定部６２から入力された判定結果を基にデータ特定情報を生成し、生成したデータ特定情報をデータ特定情報記憶部３２に記憶する。
【０１０８】
ここで、特定情報生成部６４により生成され、データ特定情報記憶部３２に記憶されたデータ特定情報の具体例について説明する。図４は、データ特定情報の具体例を示す図である。
【０１０９】
図４に示すデータ特定情報は、各項目と各項目についての詳細情報とが対応付けられたリスト形式を用いて、データ特定情報記憶部３２に記憶されている。また、各項目及び各項目についての詳細情報は、デジタル放送の放送番組に関連する「番組関連情報」と、その放送番組に関連しない「番組非関連情報」と、そのデジタル放送についての「ＩＤ情報」と、に分類されている。この分類は、例えば、データ特定情報項目リスト６３にデータ特定情報の項目として予め設定されたテキスト群の各々に、「番組関連情報」、「番組非関連情報」、「ＩＤ情報」のいずれに含まれるものであるかについて、予め設定しておけば、項目判定部６２の判定の際に実行可能となる。
【０１１０】
具体的には、データ特定情報は、放送番組の「番組名」や「放送日時」といった情報を基に表示させる。これは例えば、ユーザが視聴した放送番組の「番組名」や「放送日時」といった情報から時系列に表示させるＥＰＧ形式とすればよい。デジタル放送にＳＩ情報があれば、それを利用してもよい。ユーザは、この表示内容を参照、選択して所望するデータ放送の番組情報や日時情報の特定を行っていく。
【０１１１】
ユーザによってデータ放送を特定するための番組情報が選択されると、次にその番組内で表示されたデータ放送の種類を表示させる。これは、例えば、番組の内容に関する情報（出演者や番組概要）や、天気予報、交通情報といった情報である。これらの情報は、対象となる番組と同じ時間帯に表示されるそれぞれデータ放送のＩＤ情報や、放送日時などの情報を対応させることで参照でき、データ放送を特定するための情報と時刻情報を関係付けて記憶させている場合は、その時刻情報を利用すればよい。
【０１１２】
ユーザはこれらの情報を参照し、所望のデータ放送の内容をさらに絞り込んでいく。さらに詳細なデータ放送の情報が存在する場合は、同様の方法で絞り込む。このとき、データ放送を特定させる情報としてＵＲＬがデータ特定情報としてデータ特定情報記憶部３２に記憶されている場合は、その情報が存在することをデータ放送の種類と一緒に表示させ、ユーザが選択できるようにしてもよい。
【０１１３】
なお、番組内容とは直接関係のない天気予報や交通情報といった情報は、番組関連情報と区別してその情報を表示させ、特定できるようにしても良い。例えば、過去のデータ放送を特定するために表示させる情報は、番組関連情報、天気予報、交通情報等の「番組非関連情報」に分けて表示させて、それらのカテゴリをユーザに選択させるようにしても良い。ユーザが所望のデータ放送を特定できるような表示内容であればよい。
【０１１４】
次に、抽出部３１の動作、すなわち、データ読込部６１、項目判定部６２及び特定情報生成部６４の各々の動作について説明する。図５は、データ読込部６１、項目判定部６２及び特定情報生成部６４の各々の動作を説明するためのフローチャートである。
【０１１５】
図５に示すように、先ず、データ読込部６１は、復調されたデジタル放送を構成する上記の制御データ、上記の映像データ、上記の音声データ及び上記の図形データが入力されると、それら各データの読み込みを行なう（ステップＳ１０１）。
【０１１６】
本ステップＳ１０１では、データ読込部６１は、例えば、入力された各データをテキストデータに変換し、各データの中に記載されている全テキストを把握する。
【０１１７】
そして、データ読込部６１は、その読み込み結果を項目判定部６２に出力する。
【０１１８】
次に、項目判定部６２は、データ読込部６１から入力された読み込み結果を基に、データ特定情報の項目に該当するテキストの有無を判定する（ステップＳ１０２）。
【０１１９】
本ステップＳ１０２では、項目判定部６２は、データ読込部６１から読み込み結果が入力されると、データ特定情報項目リスト６３を参照しながら、その読み込み結果の中にデータ特定情報の項目に該当するテキストの判定をする。
【０１２０】
そして、データ特定情報の項目に該当するテキストがあれば（ステップＳ１０３ＹＥＳ）、そのテキスト及びそのテキストについての詳細情報を、データ読込部６１から読み込み結果の中から取得し、特定情報生成部６４に出力する。
【０１２１】
次に、特定情報生成部６４は、項目判定部６２から入力された判定結果を基にデータ特定情報を生成し、生成したデータ特定情報をデータ特定情報記憶部３２に記憶する（ステップＳ１０４）。
【０１２２】
一方、データ読込部６１から入力された読み込み結果のすべてにおいて、データ特定情報の項目に該当するテキストがなければ（ステップＳ１０３ＮＯ）、抽出部３１、すなわち、データ読込部６１、項目判定部６２及び特定情報生成部６４は、各々の動作を終了する。
【０１２３】
（検索制御部）
次に、検索制御部３３の構成及びその動作について説明する。図６は、検索制御部３３の構成を示すブロック図である。
【０１２４】
図６に示すように、検索制御部３３は、提示部７１と、検索情報照合部７２と、検索情報生成部７３と、を備えている。
【０１２５】
提示部７１は、過去のデータ放送を参照したいという要求がユーザから入力部３７を用いて入力されたとき、データ特定情報記憶部３２に記憶されているデータ特定情報をユーザに提示する。そして、提示部７１は、データ特定情報記憶部３２から取り出したデータ特定情報を、検索情報照合部７２と検索情報生成部７３とに出力する。
【０１２６】
提示部７１は、入力部３７を用いて入力される、ユーザからのデータ特定情報の提示の仕方についての要求に従って、データ特定情報記憶部３２からデータ特定情報を取り出し、表示制御部２７、検索照合部７２及び検索情報生成部７３に出力する。
【０１２７】
提示部７１は、例えば、ユーザから所定のキーワードが入力部３７を用いて入力されたときには、その所定のキーワードにヒットするデータ特定情報をデータ特定情報記憶部３２から取り出し、ユーザに提示するようにしてもよい。
【０１２８】
検索情報照合部７２は、提示部７１によりユーザに提示されている複数のデータ特定情報の各々と、入力部３７を用いて入力される、ユーザが希望するデータ放送を特定するために、ユーザが選択したデータ特定情報とを照合する。
【０１２９】
検索情報照合部７２は、例えば、提示部７１により提示された複数のデータ特定情報のうち、ユーザがそれらのうちから選択したデータ特定情報を、その照合結果として出力する。この際、ユーザは入力部３７を用いて、提示されている複数のデータ特定情報のうち、いずれかのデータ特定情報を選択したいという要求を入力すればよい。
【０１３０】
要は、検索情報照合部７２は、提示部７１によりユーザに提示されている複数のデータ特定情報のうち、データ放送を特定するためにユーザが希望するデータ特定情報を、その照合結果として検索情報生成部７３に出力する。
【０１３１】
検索情報生成部７３は、提示部７１にユーザに提示されている複数のデータ特定情報と、検索情報照合部７２の照合結果とを基に、サービス検索情報を生成し、生成したサービス検索情報をサービス検索情報記憶部３４に記憶する。
【０１３２】
ここで、検索情報生成部７３により生成され、サービス検索情報記憶部３４に記憶されたサービス検索情報の具体例について説明する。図７は、サービス検索情報の具体例を示す図である。
【０１３３】
図７に示すサービス検索情報は、図４に示したデータ特定情報の項目のうち、ユーザが希望した「放送日時」と「番組名」とを基に、サービス検索情報が生成された結果である。図７に示すように、ユーザが希望する、「放送日時」である「２００９年１０月２３日１２：００〜１３：００」と、「番組名」である「お昼のニュース」とから、６つのデータ放送が例えば特定される。
【０１３４】
そして、検索情報生成部７３は、図４に示したデータ特定情報の項目から各データ放送の「種類」を特定し、その特定した「種類」と図４に示したデータ特定情報の「詳細情報」とを基に、各データ放送を提供するネットワークサービスを検索するためのサービス検索情報を生成している。
【０１３５】
具体的には、ユーザが希望するデータ放送の内容が絞り込まれると、その絞込みに利用したデータ特定情報を、ネットワークサービスを検索するためのサービス検索情報として生成すればよい。例えば、番組Ａの概要、出演者いう情報であれば、「番組Ａ」「概要」「出演者」などの情報をサービス検索情報とすればよい。ここで、番組非関連情報、例えば天気予報や交通情報といった情報がサービス検索情報となる場合は、番組名をサービス検索情報から除くようにしてもよい。
【０１３６】
次に、検索制御部３３の動作、すなわち、提示部７１、検索情報照合部７２及び検索情報生成部７３の各々の動作について説明する。図８は、提示部７１、検索情報照合部７２及び検索情報生成部７３の各々の動作を説明するためのフローチャートである。なお、ここでは、図４に示したデータ特定情報を基に、図７に示したサービス検索情報を生成する場合を例にして、提示部７１、検索情報照合部７２及び検索情報生成部７３の各々の動作について説明する。
【０１３７】
図８に示すように、先ず、提示部７１は、過去のデータ放送を参照したいという要求がユーザから入力部３７を用いて入力されると（ステップＳ２０１）、データ特定情報記憶部３２からデータ特定情報を取り出す（ステップＳ２０２）。
【０１３８】
本ステップＳ２０２では、提示部７１は、ユーザからのデータ特定情報の提示の仕方についての要求に沿ったデータ特定情報をデータ特定情報記憶部３２から取り出す。ここでは、提示部７１は、ユーザが希望するデータ放送を含むデジタル放送の「放送日時」と、その「番組名」とが入力部３７を用いて入力される。そして、その「放送日時」と、その「番組名」とにヒットするデータ特定情報をデータ特定情報記憶部３２から取り出すことになる。
【０１３９】
次に、提示部７１は、上記のステップＳ２０２で取得したデータ特定情報を表示制御部２７に出力すると共に、検索情報照合部７２及び検索情報生成部７３にも同様に出力する（ステップＳ２０３）。
【０１４０】
本ステップＳ２０３では、提示部７１から出力されたデータ特定情報が表示制御部２７及び表示部２９を用いてユーザに提示されることになる。
【０１４１】
次に、検索情報照合部７２は、ユーザに提示されている複数のデータ特定情報の各々と、ユーザが希望するデータ放送を特定するために、ユーザが選択したデータ特定情報とを照合する（ステップＳ２０４）。
【０１４２】
本ステップ２０４では、検索情報照合部７２は、ユーザが希望するデータ放送の「種類」が入力部３７を用いて入力される。そして、検索情報照合部７２は、提示部７１から入力された複数のデータ特定情報のうち、ユーザが希望するデータ放送の「種類」と、その種類が一致するデータ放送を特定するデータ特定情報を、検索情報生成部７３に出力する。
【０１４３】
また、本ステップ２０４ではさらに、検索情報照合部７２は、ユーザが希望するデータ放送についてユーザが認識する情報が入力部３７を用いて入力されてもよい。この場合、検索情報照合部７２は、提示部７１から入力された複数のデータ特定情報のうち、ユーザが認識する情報が、その「詳細情報」に含まれているデータ特定情報を、検索情報生成部７３に出力すればよい。
【０１４４】
検索情報生成部７３は、提示部７１にユーザに提示されている複数のデータ特定情報と、検索情報照合部７２の照合結果とを基に、サービス検索情報を生成し、生成したサービス検索情報をサービス検索情報記憶部３４に記憶する（ステップＳ２０５）。
【０１４５】
このようにして、本実施形態に係るデジタル放送受信装置１０によれば、既存の放送システムを変更することなく、外部のネットワーク５１に存在するネットワークサービスを参照することができるので、ユーザは過去のデータ放送に対応したネットワークサービスを検索することが可能になる。
【０１４６】
なお、本実施形態に係るデジタル放送受信装置１０においては、例えばＨＤＤレコーダーといった番組を録画する記録手段が接続されている場合、録画されている映像情報を、検索したネットワークサービスと共に表示させてもよい。これは、例えば、ユーザの所望するデータ放送の内容に対応した番組名や放送日時情報と、録画されている映像コンテンツ番組名や放送日時、録画日時等の情報を参照することで可能となる。この場合、録画されている映像コンテンツと検索結果を個別に表示させてもよいし、データ放送視聴時のように映像とデータ情報をそれぞれ配置させて表示させてもよく、その表示方式は問わない。また、その場合、録画した映像コンテンツはユーザによってその表示、非表示を切り替えられるようにしても良い。また、ネットワークサービスを表示する際に、映像コンテンツを合わせて表示するか否かの確認を行なわせるようにしてもよい。
【０１４７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４８】
最後に、デジタル放送受信装置１０の各ブロック、特に抽出部３１及び検索制御部３３は、ハードウェアロジックによって構成してもよいし、次のようにＣＰＵを用いてソフトウェアによって実現してもよい。
【０１４９】
すなわち、デジタル放送受信装置１０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるデジタル放送受信装置１０の制御プログラムのプログラムコード（実行形式プログラム、中間コードプログラム、ソースプログラム）をコンピュータで読み取り可能に記録した記録媒体を、前記デジタル放送受信装置１０に供給し、そのコンピュータ（又はＣＰＵやＭＰＵ）が記録媒体に記録されているプログラムコードを読み出し実行することによっても、達成可能である。そして、そのようなＣＰＵや記憶装置を集積化し、１チップ化された集積回路（ＩＣチップ）としてもよい。
【０１５０】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５１】
また、デジタル放送受信装置１０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１５２】
なお、本発明は、以下のようにも表現することができる。すなわち、本発明に係るデジタル放送受信装置は、デジタル放送を受信、表示させるデジタル放送表示装置において、デジタル放送を受信する受信手段と、受信したデータ放送の情報を識別してデータ放送を特定するための情報を記憶手段に記憶させるデータ放送情報識別手段と、前記データ放送を特定するための情報を記憶しておく記憶手段と、前記データ放送を特定するための情報を利用して、過去のデータ放送に対応したネットワークサービスを検索するための情報を生成して検索を行なう検索手段と、を少なくとも備える。
【０１５３】
前記データ放送を特定するための情報は、データ放送番組の番組名、放送日時、放送局、チャンネルといった番組情報、データ放送を構成する映像、音声、静止画、テキスト等の種類およびそれらの内容を特定するための情報および、それらの配置や表示等を行なうために必要となる制御情報の少なくとも１つ以上を含むことが好ましい。
【０１５４】
前記データ放送情報識別手段は、データ放送を特定するための情報と日時情報を関係付けて、記憶手段に記憶することが好ましい。
【０１５５】
前記検索手段は、データ放送を特定するための情報の少なくとも検索対照となるデータ放送のデータの種類に関る情報を利用して、過去のデータ放送に対応するネットワークサービスを検索するための情報を生成し、検索サーバを通してネットワークサービスの検索を行なうことが好ましい。
【０１５６】
本発明に係るデジタル放送表示装置は、上記のデジタル放送受信装置を備え、該デジタル放送受信装置で受信するデジタル放送および前記ネットワークサービス検索結果およびネットワークサービスを表示させ、該サービスを利用可能にする表示手段を備える。
【産業上の利用可能性】
【０１５７】
本発明は、ＢＳ／ＣＳデジタル放送や、地上波デジタル放送等の各種デジタル放送を受信するデジタル放送受信装置に好適に利用可能である。
【符号の説明】
【０１５８】
１０    デジタル放送受信装置（デジタル放送表示装置）
１１    受信部
１２    復調部
１３    誤り訂正部
２１    分離部
２２    制御部
２３    音声処理部
２４    映像処理部
２５    図形処理部
２６    音声出力制御部
２７    表示制御部
２８    音声出力部
２９    表示部
３１    抽出部（抽出手段）
３２    データ特定情報記憶部
３３    検索制御部（検索手段）
３４    サービス検索情報記憶部
３５    検索処理部（検索手段）
３６    ブラウザ
３７    入力部
４１    アンテナ
５１    ネットワーク
５２    検索サーバ
５３    ネットワークサービスサーバ
６１    データ読込部
６２    項目判定部
６３    データ特定情報項目リスト
６４    特定情報生成部
７１    提示部
７２    検索情報照合部
７３    検索情報生成部
【図１】
2011146820.tif 000003
【図２】
2011146820.tif 000004
【図３】
2011146820.tif 000005
【図４】
2011146820.tif 000006
【図５】
2011146820.tif 000007
【図６】
2011146820.tif 000008
【図７】
2011146820.tif 000009
【図８】
2011146820.tif 000010